(57)【要約】【課題】利用者がデジタルカメラの内蔵用記録媒体の残量を気にしたり、この記録媒体から画像データを取り出すための余分な機器を携帯する必要がなく、容易に複数の利用者に画像データを容易に配布または配信する画像記録サーバ及び出力画像加工サーバを提供する。【解決手段】本発明のデジタルカメラは、被写体を撮像してデジタル画像を形成するデジタルカメラであって、画像を撮像する撮像素子と、上記撮像素子から出力される画像データを一時記憶する画像記憶部と、上記画像記憶部に記憶された画像データを、無線を用いてネットワークに接続し、このネットワークを介して外部に設けられた記憶部に送信するインターフェースとを備える。【選択図】      図２
2004289477.tif 000002
【特許請求の範囲】
【請求項１】
被写体を撮像してデジタル画像を形成する撮像装置であって、
画像を撮像する撮像素子と、
該撮像素子から出力される画像データを一時記憶する画像記憶部と、
該画像記憶部に記憶された画像データを、無線を用いてネットワークに接続し、このネットワークを介して外部に設けられた記憶部に送信するインターフェースと
を備える撮像装置。
【請求項２】
撮像場所の位置情報を取得する位置情報取得部を備え、
前記インターフェースが前記画像データに、この画像を撮像した位置情報を付加してネットワークに送信する請求項１記載の撮像装置。
【請求項３】
撮像装置により撮像された画像データを、ネットワークを介して、入力するインターフェースと、
画像データに添付されたユーザの認証情報に対応して、このユーザの利用可能な記憶領域が設けられたユーザ領域と
を備え、
前記インターフェースが、添付された撮像の位置情報に対応付けて、前記画像データを前記記憶領域に記憶する画像記録サーバ。
【請求項４】
画像データに添付されたユーザの認証情報と、認証情報保持部に記憶されている認証情報とを比較し、ユーザの認証を行うユーザ認証手段を備え、
前記インターフェースがユーザの認証後、このユーザの画像データを前記記憶領域に記憶することを特徴とする請求項３記載の画像記録サーバ。
【請求項５】
前記画像データの加工及び編集を行う店舗情報と、該店舗の位置情報とが記録された店舗データベースを備え、
前記インターフェースが入力される位置情報の示す位置の近傍にある店舗を、前記店舗データベースから抽出して、ユーザに通知することを特徴とする請求項３または請求項４に記載の画像記録サーバ。
【請求項６】
ネットワークを介して入力される、撮像装置で撮像された画像データを、一時的に保存するデータ一時保存部と、
ユーザの選択する加工及び編集に従い、前記画像データに対して、加工及び編集処理を行い、この処理結果を変換画像データとして出力し、前記画像データの容量と加工及び編集処理の内容とにより、加工及び編集の料金を計算するデータ加工部と
を有する出力画像加工サーバ。
【請求項７】
前記変換画像データを所定の記録媒体に書き込み、該変換画像データの容量から書込料金を計算するデータ記録部を有することを特徴とする請求項６記載の出力画像加工サーバ。
【請求項８】
撮像装置から入力される画像データをデータベースに記憶する画像記録サーバに、
撮像装置により撮像された画像データを、ネットワークを介して、インターフェースにより入力するデータ入力手順と、
前記データベースにおけるユーザの利用可能な記憶領域に、前記画像データに添付されたユーザの認証情報に対応して、この画像データを記憶させるデータ記録手順と
を有し、
前記インターフェースが、添付された撮像の位置情報に対応付けて、前記画像データを前記記憶領域に記憶させるためのプログラム。
【請求項９】
撮像装置から入力される画像データの加工及び編集の処理を行う出力画像加工サーバに、
ネットワークを介して入力される、撮像装置で撮像された画像データを、一時的にデータ一時保存部に保存させるデータ一時保存手順と、
ユーザの選択する加工及び編集に従い、前記画像データに対して、加工及び編集処理を行い、この処理結果を変換画像データとして出力し、前記画像データの容量と加工及び編集処理の内容とにより、加工及び編集の料金を計算するデータ加工手順と
を実行させるためのプログラム。
【発明の詳細な説明】
【０００１】
【発明の属する技術分野】
本発明はネットワークに接続されたデータベースに対して、ユーザが撮像装置により撮像した静止画像データ及び動画像データの書込及び読出処理を行う画像データ記録システムに関する。
【０００２】
【従来の技術】
近年、静止画像や動画像を作成・記録するデジタル・スチル・カメラ及びデジタル・ビデオ・カメラ（以下、総称してデジタルカメラ、請求項においては撮像装置）が、画素数が増加して画像の精細化が進んできており、また取り扱いの容易さにより広く普及してきている。
すなわち、デジタルカメラは、現像を要する従来のフィルム式カメラに比較して、撮像した画像をその場で確認することができ、撮像した画像データがデジタルデータであるため、メモリなどの記録媒体に、半永久的に保存が可能であり、また、撮像した画像の複製を容易に作成することが可能である。
【０００３】
しかしながら、デジタルカメラは、画像データの加工及び閲覧を行おうとすると、編集・加工用のソフトウェアがインストールされたコンピュータ等が必要となる。
すなわち、デジタルカメラの画像データがデジタルデータであるため、画像データの加工・編集が容易にできる一方、この画像データを閲覧し、編集・加工するために、編集・加工用の機能を有するツールが必要となり、このツールを揃えることがユーザにとって大きな負担となる。
【０００４】
また、デジタルカメラは、撮像した画像データを大量に蓄積させるために、高価な記録媒体を必要とする。
デジタルカメラは、画像の記録にフィルムを使用する訳ではなく、デジタルデータを蓄える内蔵用記録媒体を用いるが、フィルムに比較すると高価であり、一般のユーザが複数を保有することはコスト的に大きな負担となる。
また、デジタルカメラの内蔵用記録媒体は、比較的に小容量のものが多く、高画質・高解像度で撮像を行う場合、従来のフィルム式カメラと同様に、撮像時に残りの撮像可能枚数を確認する必要がある。
【０００５】
さらに、上述したように、デジタルカメラの内蔵用記録媒体の容量が少ないため、撮像した画像データを内蔵用記録媒体から、他の大容量の記録媒体、例えば、ＣＤ−Ｒ，ＤＶＤ−Ｒ，ＤＶＤ−ＲＡＭ等に退避させて置くことが必要となる。しかしながら、上述した大容量の記録媒体に格納させるため、専用の書込／読出装置及びソフトウェアが必要となり、価格的な負担が大きくなる。
そして、大容量の記録媒体に画像データを書き込む処理に手間がかかり、撮像した場所や日時に対応させて整理するために、多くの時間を浪費することとなる。
【０００６】
また、画像データを処理するツール（編集加工用ソフトウェアがインストールされたコンピュータ、大容量の記録媒体の書込／読出装置等）を保有するユーザであっても、
・加工・編集する時間がない
・画像データを整理する時間がない
・デジタルカメラ内蔵用の記録媒体を複数購入する余裕がない
等の理由で、撮像したままの状態でデジタルカメラの内蔵用記録媒体に、画像データを残しておくユーザや、撮像場所や日時にかかわらず、とにかく記憶させておくだけのユーザも多く、デジタルデータの利点を用いて、画像データの整理を有効に行うことのできないユーザも多い。
【０００７】
上述したような問題を解決するため、デジタルカメラを利用して撮像した画像データを提供するシステムとして、以下に示すシステムがある。
例えば、遊園地やテーマパークなどでデジタルカメラを借り、撮像を行い、返却時にデジタルカメラで撮像したデータを別の記録媒体（ＣＤ−Ｒ等）に書き込んでもらい提供してもらったり、インターネットなどのネットワークを介して、画像データを配信してもらうシステムがある（例えば、特許文献１参照）。
【０００８】
また、デジタルカメラを用いて撮像した画像データを配信・記録するシステムとして、以下に示すシステムがある。
デジタルカメラを用いて撮像した画像データを、その場において別の記録媒体に複製する機能、及びインターネット上においてウェブページとして公開する機能を有するため、複数の利用者に画像データを容易に配布または配信することができる（例えば、特許文献２参照）。
【０００９】
【特許文献１】
特開２００２−２９７７５３号公報
【特許文献２】
特開２００２−３２８８７０号公報
【００１０】
【発明が解決しようとする課題】
しかしながら、特許文献１に記載された技術は、ネットワーク経由で画像データの受け渡しができるものの、内蔵用記録媒体の容量に基づく撮像枚数を、撮像時に考慮して撮像する必要があり、上記容量の残量によっては十分な枚数の画像を撮像することが出来ない欠点がある。
また、デジタルカメラを借りる場所が限定されてしまうことや、自前のデジタルカメラを使用したとしても、特許文献１に記載された機能を有するシステムにある場所まで、画像データを内蔵用記録媒体から読み出すために、利用者がデジタルカメラを運ぶ必要がある。
【００１１】
さらに、特許文献２に記載された技術は、デジタルカメラ以外にインターネットなどのネットワークへ接続する機能を有する携帯端末やパーソナルコンピュータを携帯する必要がある。
このため、利用者に対して、余分な機器を携帯したり、デジタルカメラ以外の機器の操作を行う等の手間がかかり、利用者にとって容易に使用できるシステムとは言い難い。
また、特許文献１と同様に、デジタルカメラの内蔵用記録媒体の容量の残量によっては十分な枚数の画像を撮像することが出来ない欠点がある。
【００１２】
本発明は、上記の問題を解決するためになされたもので、利用者がデジタルカメラの内蔵用記録媒体の残量を気にしたり、この記録媒体から画像データを取り出すための余分な機器を携帯する必要がなく、容易に複数の利用者に画像データを容易に配布または配信する画像記録サーバ及び出力画像加工サーバを提供するものである。
【００１３】
【課題を解決するための手段】
本発明の撮像装置（例えば、撮像装置１）は、被写体を撮像してデジタル画像を形成する撮像装置であって、画像を撮像する撮像素子と、該撮像素子から出力される画像データを一時記憶する画像記憶部と、該画像記憶部に記憶された画像データを、無線を用いてネットワークに接続し、このネットワークを介して外部に設けられた記憶部に送信するインターフェースとを備えるため、外部の記憶部に撮像した画像データを、順次、転送して記憶させることにより、撮像装置内部に大容量の内蔵用記録媒体を設ける必要が無く、ユーザの金銭的な負担を無くし、またユーザが撮像装置の内蔵用記録媒体の容量の残りを気にすることなく、必要な枚数を撮像することが可能となり、さらに、内蔵用記録媒体から画像データを取り出すための余分な機器を携帯する必要がなくる。
【００１４】
本発明の撮像装置は、撮像場所の位置情報を取得する位置情報取得部を備え、前記インターフェースが前記画像データに、この画像を撮像した位置情報を付加してネットワークに送信するため、後で撮像した画像データの整理を行う場合に、撮像場所の特定が画像データから可能であるため、撮像の履歴を一々残す手間が無くなり、容易に撮像場所を特定することが可能となる。
【００１５】
本発明の画像記録サーバは、撮像装置により撮像された画像データを、ネットワークを介して、入力するインターフェースと、画像データに添付されたユーザの認証情報に対応して、このユーザの利用可能な記憶領域が設けられたユーザ領域とを備え、前記インターフェースが、添付された撮像の位置情報に対応付けて、前記画像データを前記記憶領域に記憶するため、上記位置情報に基づいて、認証情報に対応した記憶領域内に、撮像場所に対応した記憶領域を生成して、生成された記憶領域に画像データを記憶させるため、ユーザが一々撮像場所を特定して画像データを分類する必要が無くなり、ユーザが容易に分類された画像データを得ることが可能となる。
【００１６】
本発明の画像記録サーバは、画像データに添付された認証情報と、認証情報保持部に記憶されている認証情報とを比較し、ユーザの認証を行うユーザ認証手段を備え、前記インターフェースがユーザの認証後、このユーザの画像データを前記記憶領域に記憶することにより、認証されたユーザのみがアクセス可能となるので、記憶された画像データを他人にアクセスされないセキュリティが得られる。
【００１７】
本発明の画像記録サーバは、前記画像データの加工及び編集を行う店舗情報と、該店舗の位置情報とが記録された店舗データベースを備え、前記インターフェースが入力される位置情報の示す位置の近傍にある店舗を、前記店舗データベースから抽出して、ユーザに通知することにより、画像データの加工及び編集を行うことが可能な店舗をユーザが探す必要がなく、容易に通知された店舗に対して、加工及び編集を依頼することができる。
【００１８】
本発明の出力画像加工サーバは、ネットワークを介して入力される、撮像装置で撮像された画像データを、一時的に保存するデータ一時保存部と、ユーザの選択する加工及び編集に従い、前記画像データに対して、加工及び編集処理を行い、この処理結果を変換画像データとして出力し、前記画像データの容量と加工及び編集処理の内容とにより、加工及び編集の料金を計算するデータ加工部とを有することにより、加工及び編集の内容及び手間に応じた料金を払うことで、加工及び編集に必要な特殊なソフトウェアを導入する負担が無くなり、また、コンピュータを有さないユーザも好みの状態に加工及び編集された画像データを得ることが可能となる。
【００１９】
本発明の出力画像加工サーバは、前記変換画像データを所定の記録媒体に書き込み、該変換画像データの容量から書込料金を計算するデータ記録部を有することにより、記録媒体に書き込む装置をユーザが持つことなく、必要な枚数の記録媒体に必要な画像データを書き込むことが可能となるため、書き込むための装置を買う負担と、書込処理を行う手間を省くことができ、かつ、コンピュータを有しないユーザも、自身の撮像した画像データが書き込まれた記録媒体を得ることができる。
【００２０】
本発明のプログラムは、撮像装置から入力される画像データをデータベースに記憶する画像記録サーバに、撮像装置により撮像された画像データを、ネットワークを介して、インターフェースにより入力するデータ入力手順と、前記データベースにおけるユーザの利用可能な記憶領域に、前記画像データに添付されたユーザの認証情報に対応して、この画像データを記憶させるデータ記録手順とを有し、前記インターフェースが、添付された撮像の位置情報に対応付けて、前記画像データを前記記憶領域に記憶させるためのプログラムである。
【００２１】
本発明のプログラムは、撮像装置から入力される画像データの加工及び編集の処理を行う出力画像サーバに、ネットワークを介して入力される、撮像装置で撮像された画像データを、一時的にデータ一時保存部に保存させるデータ一時保存手順と、ユーザの選択する加工及び編集に従い、前記画像データに対して、加工及び編集処理を行い、この処理結果を変換画像データとして出力し、前記画像データの容量と加工及び編集処理の内容とにより、加工及び編集の料金を計算するデータ加工手順とを実行させるためのプログラムである。
【００２２】
【発明の実施の形態】
以下、本発明の一実施形態である、撮像装置（デジタルカメラ），画像記録サーバ，出力画像加工サーバの構成および動作を図面を参照して説明する。
図１は、本発明の一実施形態である、撮像装置，画像記録サーバ，出力画像加工サーバを使用した撮像装置の画像データサービスシステムの構成を示す概念図である。
【００２３】
図１において、撮像装置１は、ユーザの操作に基づき、撮像した画像の画像データを、静止画像であれば写真として一枚毎または複数枚毎に、動画であれば所定の時間単位毎（例えば、３０秒毎）に、ネットワーク２を介して画像記録サーバ３へ転送する。
ここで、ネットワーク２は、インターネット，専用データ回線，公衆データ回線等からなる情報通信網である。
また、このとき、撮像装置１は、ＧＰＳ（Ｇｌｏｂａｌ  Ｐｏｓｉｔｉｏｎｉｎｇ  Ｓｙｓｔｅｍ）等により位置情報を検出し、この位置情報を上記画像データに添付して、画像記録サーバ３へ送信する。
【００２４】
画像記録サーバ３は、上記画像データをネットワーク２を介して入力し、内部のデータベースにおいて、ユーザの認証情報（ユーザＩＤまたはパスワード等）に対応した記憶領域に、入力したデータを記憶する。
出力画像加工サーバ８は、コンビニエンスストアや、写真店等の店頭に設けられ、出力加工サーバ４と、撮像データ記録装置５とから構成されており、画像記録サーバ３から入力される画像データの加工及び編集を行い、加工及び編集が行われた画像データ（変換画像データ）を、記録媒体６（記録用可搬媒体であるＣＤ−Ｒ，ＣＤ−ＲＷ，ＤＶＤ−Ｒ，ＤＶＤ−ＲＡＭ等）に書き込む。
【００２５】
ユーザは、上記記録媒体を店頭に取りに行くが、店が遠方にある場合、ネットワーク経由で、出力加工サーバ４から上記変換画像データをダウンロードするか、ネットワークに接続できないユーザに対しては、宅配便等の配送システムを利用する。
すなわち、発送センタ７は、出力画像加工サーバ８の設置された店舗の店頭に行けないユーザの要求に応じて、指定された店舗から、上記変換画像データが書き込まれた記録媒体６を受け取り、この記録媒体を対応するユーザに配送する。また、発送センタ７に店舗と同様に出力画像加工サーバ８を設け、直接、ユーザから画像データの変換画像データへの変換処理の注文を受け、画像記録サーバ３からユーザの指定する画像データを、ネットワーク２を介して入力し、出力画像加工サーバ８により、この画像データから変換画像データを生成して、この変換画像データを記録媒体６に記録し、記録された記録媒体６を注文したユーザに配送するようにしてもよい。
【００２６】
次に、図２のブロック図を用いて、撮像装置１の構成を詳細に説明する。
撮像装置１は、デジタルカメラ（デジタル・スチル・カメラ及びデジタル・ビデオ・カメラ等）であり、撮像素子１１，バッファ領域部１２，認証情報保持部１３，ＧＰＳ１４，通信インターフェース１５，画像データ生成部１６，内蔵時計１７，表示部１８及び操作部１９を有している。
撮像素子１１は、ＣＣＤ（電荷結合素子）またはＣＭＯＳ（相補型ＭＯＳ）イメージセンサなどから構成され、操作部１９からのユーザの操作に基づき、被写体の画像データを取得し、画像データ生成部１６によりデータ形式を整え、バッファ領域部１２へ画像データ（データ形式として、例えば、静止画であればＪＰＥＧ形式、動画であればＭＰＥＧ形式）を蓄積する。
また、撮像した時点で、表示部１８に、画像データ生成部１６によりデータ形式を整えた画像データが表示される。
【００２７】
このバッファ領域部１２は、従来のデジタルカメラの内蔵用記録媒体、または送信するまでに画像データを蓄積する専用メモリであり、撮像素子１１が撮像して得た画像データを、この画像データを撮像した位置の位置情報及び撮像の日時を示す時刻情報とともに一時記憶する。
ここで、認証情報保持部１３は、無線電波圏外における撮像や、データ送信に対応するために設けられており、本体から着脱可能な不揮発性のＲＡＭや、内蔵用記録媒体として一般的なメモリカードでも良い。
【００２８】
認証情報保持部１３は、画像記録サーバ３における記憶領域（例えば、ユーザ領域部３２）を指定するためのユーザの認証情報（１人のユーザが複数持つことが可能である）が記憶されている。
これにより、ユーザが他のユーザにデジタルカメラを譲渡する場合や、新たにユーザが他のデジタルカメラを入手した場合、手放すデジタルカメラの認証情報保持部１３のユーザの認証情報を消去すれば、不正使用の防止となる。
また、認証情報保持部１３は、ネットワーク２に接続するための、ユーザ認証情報・機器情報（デジタルカメラの認証番号、例えばＭＡＣアドレスなど）・暗号化のための情報が記憶されている。
【００２９】
ＧＰＳ１４は、「Ｇｌｏｂａｌ  Ｐｏｓｉｔｉｏｎｉｎｇ  Ｓｙｓｔｅｍ」であり、撮像装置１の位置を検出して位置情報として出力するとともに、時刻情報を出力している。
また、カメラが内蔵時計１７を搭載している場合には、この内蔵時計から時刻情報を取得することが可能である。
ここで、撮像素子１１は、撮像が行われる毎に、ＧＰＳ１４から位置情報を読み取り、この位置情報とともに、撮像した画像データをバッファ領域部１２へ格納する。
これにより、各画像データには、撮像した場所の位置情報と、撮像した時間の時刻情報とのデータが添付されることになる。
【００３０】
通信インターフェース１５は、例えば、ＩＥＥＥ８０２．１１ｂ，８０２．１１ａ規格に準拠した無線インターフェースであり、無線ＬＡＮサービス等を用いて、インターネットや他のネットワークシステムへのアクセス及び接続が可能である。
また、通信インターフェース１５は、ユーザから、画像記録サーバ３への画像データの転送要求が入力されると、バッファ領域部１２に格納されている画像データ（撮像した場所の位置情報及び撮像した時間の時刻情報を含む）を、ユーザの認証情報を添付して画像記録サーバ３へネットワーク２を介して出力する。
上述の説明において省略したが、撮像装置１には液晶表示装置などの表示部１８が設けられており、ユーザは撮像しようとする画像，及び撮像した画像の確認を行うとともに、各操作をこの表示部１８に表示される指示により行うものとする。
【００３１】
次に、図３のブロック図を用いて、画像記録サーバ３について説明する。
通信インターフェース３１は、ネットワーク２を介して、上記画像データの送受信を行う。
認証部３６は、記憶処理を開始する時点において入力される認証情報を、認証情報保持部３３に格納されている複数の登録認証情報と、逐次比較して、この登録認証情報のなかに、上記認証情報と一致するものがあるか否かの判定を行う。
【００３２】
この認証情報保持部３３は、ユーザ領域部３２の記憶領域の利用登録を行ったユーザの認証情報が登録認証情報として記録されている。
この認証情報の登録は、ユーザがパソコンでインターネット等を介して行っても良いし、また、デジタルカメラを販売店で購入する際に販売店経由にて行われても良い。
【００３３】
ユーザ領域部３２においては、認証情報保持部３３に登録されているユーザの画像データが、ユーザの登録認証情報（ユーザの入力する認証情報）に対応した記憶領域（ホルダ）に記録されている。
すなわち、上記画像データは、添付されている位置情報に対応して分類された記憶領域（ホルダ）に、撮像された日時及び時刻を示す時刻情報とともに、ホルダ名・ファイル名決定部３９により上記記憶領域にファイル単位（時刻情報がファイル名）で格納される。
ここで、画像データは、記憶領域に認証情報／位置情報／時刻情報の階層構造（例えば、ユーザＩＤ／撮像場所／というホルダの下に撮影日時をファイル名）として格納されることになる。
【００３４】
使用料金演算部３８は、ユーザ領域部３２におけるユーザの使用している記憶領域（認証情報に対応した記憶領域）全体の使用料の演算を行い、演算結果を料金データベース３５へ格納する。
すなわち、使用料金演算部３８は、ユーザ領域部３２において、ユーザの使用している記憶領域の容量と、使用時間とに基づいて、例えば、
「使用料」＝α×「容量」×「使用時間」
の演算式により使用料を計算する。ここで、αは「円／（ビット・時）」の次元を有する所定の係数である。
また、使用料金演算部３８は、一定期間毎（例えば、一ヶ月毎）に使用料を、料金データベース３５へ順次積算して記憶させ、この積算された使用料の内訳を、ユーザに対して電子メールまたはダイレクトメールなどで通知し、銀行引き落としや銀行振り込みなどにより使用料の徴収を行う。
【００３５】
店舗情報データベース３４には、後に述べる出力画像加工サーバ８が設置されている写真店、コンビニエンスストア、発送センタ７などの店舗が、位置情報に対応して記録されている。
また、店舗検索部３７は、ユーザからの位置情報に基づいて、上記店舗情報データベース３４を検索し、この位置情報の示す位置の近傍にある店舗を、この店舗情報データベース３４から抽出して、抽出された店舗をネットワーク２を介してユーザへ通知する。
例えば、ユーザは、旅行先で撮像して画像記録サーバ３へ格納した画像データを、自宅近傍の写真店に対して所定の編集作業を行わせ、加工後の画像データ（変換画像データ）が記憶されたＣＤ−ＲやＤＶＤを受け取りに行くことができる。
【００３６】
次に、図４のブロック図を用いて、出力画像加工サーバ８について説明する。
通信インターフェース４１は、ネットワーク２を介して、画像記録サーバ３から入力される画像データを、データ一時保存部４２に格納する。
また、通信インターフェース４１は、ネットワーク２を介して、撮像装置１から、ユーザによる編集作業等を指示する加工要求の受信を行う。
ここで、通信インターフェース４１は、上記加工要求に添付された認証情報が登録されたものか否かを、この認証情報を画像記録サーバ３に送信して、画像記録サーバ３に認証情報の判定を指示する。
撮像装置接続部４４は、ユーザが店舗に赴いた際に、認証処理を自動で行うために、ユーザの撮像装置１（デジタルカメラ等）を接続させるためのものである。
表示・操作部４５は、ユーザにより、上記撮像装置接続部４４に対して、撮像装置１が接続させられると、認証情報保持部３３（図２参照）から認証情報を読み出し、この認証情報を画像記録サーバ３へ通信インターフェース４１を介して送信し、認証処理の要求を行う。
また、表示・操作部４５は、ユーザが撮像装置１を店舗に持ってこなかった場合、認証情報（ユーザＩＤまたはパスワード等）を入力することで、この認証情報を画像記録サーバ３へ通信インターフェース４１を介して送信し、認証処理の要求を行う。
また、表示・操作部４５は、ユーザの認証の正常終了後（画像記録サーバ３から認証されたことが通知された後）に、ユーザの入力処理により、データ一時保存部４２に保存されている画像データの加工・編集方法の選択やこの画像データを書き込む記録媒体６の枚数の設定を行う。
【００３７】
データ加工部４３は、上記加工要求に従った加工処理、例えば、ＪＰＥＧ形式の静止画の画像データを、解像度を低くしたり、ユーザの指定するフォーマット形式ＧＩＦ（登録商標）やＰＩＣＴ（登録商標）に変更したり、閲覧に必要なソフトウェアを添付したりする処理を行う。
また、データ加工部４３は、上記加工要求に従った加工処理として、ＭＰＥＧ形式の動画の画像データに、文字データを挿入したり、不必要な部分を削除したり等の編集処理を行い、閲覧に必要なソフトウェアを添付する処理を行う。
【００３８】
また、データ加工部４３において行われる加工及び編集の処理としては、ＨＴＭＬ形式の文書とリンクさせ、汎用的なブラウザで閲覧できるデータ形式としたり、ＰｈｏｔｏＣＤ用データへデータ形式を変換する。
【００３９】
そして、撮像データ記録装置５は、加工及び編集が行われた変換画像データを、記録媒体６に書き込み、記憶した変換画像データの容量に基づき、上記書込料金の計算を行う。
ここで、ユーザは加工・編集及び記録媒体の料金を店舗に支払う。この加工・編集及び記録媒体の料金に対する支払い方法は、直接に店舗において支払っても、銀行振り込みなどで予め支払っても良い。
このとき、データ加工部４３は、画像データの容量と加工及び編集方法とにより、画像を書き込む記録媒体６の枚数に応じて、加工及び編集の料金を計算する。
【００４０】
次に、図１，図２，図５を参照して、本実施の形態における撮像装置の動作例を説明する。図５は、撮像装置１の動作例を示すフローチャートである。
電源が入力されると内部の各回路が初期化された後に、以下に示す所定の動作を開始する（ステップＳ１）。
そして、通信インターフェース１５は、ホットスポットなどの無線ＬＡＮサービスのアクセスポイントに対して、撮像装置１の現在の位置が無線ＬＡＮによる無線通信の圏内であるか否かの判定を行い、圏内であると判定した場合、処理をステップＳ３へ進め、圏外であると判定した場合、処理をステップＳ５へ進める（ステップＳ２）。
【００４１】
次に、認証情報保持部１３は、通信圏内である場合、ユーザからのユーザＩＤ及びパスワード入力に基づいた、ユーザの認証処理が終了しているか否かの確認を行う。
すなわち、認証情報保持部１３は、通信インターフェース１５を介し、画像記録サーバ３に対して、処理を要求しているユーザの認証処理が終了しているか否かの問い合わせを行う。
このとき、画像記録サーバ３は、撮像装置１から入力される上記問い合わせに基づき、現時点で問い合わせのあったユーザの認証処理がすでに行われているか否かの回答通知を、撮像装置１へ送信する。
【００４２】
そして、認証情報保持部１３は、通信インターフェース１５を介して入力された、画像記録サーバ３からの上記回答通知により、認証処理が終了していないことを確認した場合、処理をステップＳ４へ進め、認証処理が終了していることを確認した場合、処理をステップＳ５へ進める（ステップＳ３）。
次に、認証情報保持部１３は、ユーザの認証処理が終了していない場合、画像記録サーバ３に対して、通信インターフェース１５を介してユーザの認証情報を添付して認証処理の依頼通知を出力する。
そして、画像記録サーバ３において、すでに述べたように、認証部３６は、記憶領域を使用するユーザの認証情報が、認証情報保持部３３に記憶されているいずれかの登録認証情報と一致するか否かの判定を行い、ユーザの認証処理を行い、この認証結果を撮像装置１へ送信する（ステップＳ４）。
【００４３】
次に、圏外であった場合と、認証処理が済み、画像データを記憶領域に記憶可能である場合、認証されてもいなくとも認証処理が終了した場合、撮像が開始可能となり、撮像動作が開始される（ステップＳ５）。
そして、通信インターフェース１５は、ホットスポットなどの無線ＬＡＮサービスのアクセスポイントに対して、撮像装置１の現在の位置が無線ＬＡＮによる無線通信の圏内であるか否かの判定を行い、圏内でないと判定した場合、処理をステップＳ７へ進め、圏内であると判定した場合、処理をステップＳ８へ進める（ステップＳ６）。
次に、通信インターフェース１５は、現在位置が通信圏内でない場合、撮像した画像データをバッファ領域部１２に記憶させる（ステップＳ７）。
【００４４】
一方、認証情報保持部１３は、通信圏内である場合、通信インターフェース１５を介して、ユーザの認証処理が終了しているか否かの確認を行う。
すなわち、認証情報保持部１３は、内部に記憶されたログにより、ステップＳ３及びＳ４で認証処理が終了しているか否かの履歴を確認する。
そして、認証情報保持部１３は、上記履歴により、認証処理が終了していないことを確認した場合、処理をステップＳ９へ進め、認証処理が終了していることを確認した場合、処理をステップＳ１１へ進める（ステップＳ８）。
【００４５】
次に、認証情報保持部１３は、ステップＳ４と同様に、ユーザの認証処理が終了していない場合、画像記録サーバ３に対して、ユーザの認証情報を添付して認証処理の依頼通知を出力する。
そして、画像記録サーバ３において、認証部３６は、記憶領域を使用するユーザの認証情報が、認証情報保持部３３に記憶されているいずれかの登録認証情報と一致するか否かの判定を行い、ユーザの認証処理を行い、この認証結果を認証通知として撮像装置１へ送信する（ステップＳ９）。
【００４６】
次に、認証情報保持部１３は、上記履歴または認証通知に基づき、画像記録サーバ３におけるユーザの認証処理において、ユーザが問題なく認証されたか否かの判定を行う。
そして、認証情報保持部１３は、正常に認証されたことを確認した場合、処理をステップＳ１１へ進め、正常に認証がされなかったことを確認した場合、処理をステップＳ５へ戻し撮像を行う（ステップＳ１０）。
【００４７】
次に、通信インターフェース１５は、バッファ領域部１２に画像データが存在するか否かの検出を行う。
ここで、通信インターフェース１５は、バッファ領域部１２に画像データが存在することを検出した場合、処理をステップＳ１２へ進め、バッファ領域部１２に画像データが存在しないことを検出した場合、処理をステップＳ１３へ進める（ステップＳ１１）。
【００４８】
そして、通信インターフェース１５は、バッファ領域部１２に格納されている画像データを、画像記録サーバ３へ送信し、送信した画像データをバッファ領域部１２から削除する（ステップＳ１２）。
次に、通信インターフェース１５は、撮像素子１１から出力される画像データ（静止画像であれば１枚分毎の画像データ，動画像であれば動画像データ）の送信を行う（ステップＳ１３）。
そして、通信インターフェース１５は、ユーザによる撮像処理が終了しているか否かの判定を行う。
ここで、通信インターフェース１５は、例えば、デジタルカメラのレンズカバーが閉じられているか否かをセンサ等により検出して、撮像処理の終了を検出結果により判定し、終了と判定された場合、終了通知を画像記録サーバ３へ送信する（ステップＳ１４）。
【００４９】
また、上述した図５のフローチャートにおいては、通信インターフェース１５が電源がオンされた時点または撮像直後の時点で、通信可能圏内にあるか否かの判定を行っているが、撮像動作のバックグラウンドにおいて、この撮像動作に並行して通信状態を監視して、通信圏内に入ったことが確認された時点で、認証処理及び画像データの送信を行うようにしても良い。
また、画像データを送信中に通信圏外となった場合、タイムアウトや送信のリトライの処理をバックグラウンドで行わせ、撮像中にユーザに無線ＬＡＮの通信状態と画像データの送信の状態とを意識させない処理を行わせる。
【００５０】
上述した処理により、本発明の撮像装置１は、ユーザが撮像した画像データ及び撮像中のデータを、無線の通信状態の良好な場所において直ちに画像記録サーバ３へ送信し、この画像データを画像記録サーバ３において記憶するため、内蔵用記録媒体に大容量のもの、または複数の内蔵用記録媒体を持つ必要が無く、ユーザに経済的に負荷を負わせることなく、また内蔵用記録媒体の容量の残りを気にすることもなくなる。
さらに、本発明の撮像装置１は、ユーザが内蔵用記録媒体から撮像した画像データを取り出すための余分な機器を携帯し、デジタルカメラ以外の機器の操作を行う必要が無くなり、十分な枚数の静止画または十分な時間の動画の画像データを容易に撮像することを可能とする。
【００５１】
次に、図１，図３，図６を参照して、本実施の形態における画像記録サーバ３の動作例を説明する。図６は、画像記録サーバ３の動作例を示すフローチャートである。
撮像装置１から認証情報が入力されると（ステップＳ２０）、認証部３６は、この入力された認証情報と、認証情報保持部３３に記憶された登録認証情報とを比較し、認証情報に一致する登録認証情報があるか否かの検出処理を行う（ステップＳ２１）。
【００５２】
すなわち、認証部３６は、認証情報に一致する登録認証情報があることを検出した場合、認証が正常に行われたと判定し、一方、認証情報に一致する登録認証情報がないことを検出した場合、認証が正常に行われなかったと判定する。
そして、認証部３６は、通信インターフェース３１を介して、上記判定による認証結果を認証通知として、認証を依頼した（認証情報を送信した）撮像装置１へ送信する。
【００５３】
また、認証部３６は、認証情報保持部３３において、認証処理が正常に行われた認証情報を一定時間（例えば、１時間）、認証履歴として記憶しておくため、すなわち、画像記録サーバ３は画像データの送信の無い状態が上記一定時間継続した場合、この一定時間の間に認証処理が終了したか否かの問い合わせが撮像装置１から送信されてきたとき、認証処理が正常に終了していれば（認証情報が記憶されていれば）、認証処理が終了していることを示す回答通知を出力し、認証処理が正常に終了していなければ（認証情報が記憶されていなければ）、認証処理が終了していないことを示す回答通知を出力し、認証が正常に行われたか否かを問い合わせに対して回答する。
【００５４】
次に、通信インターフェース３１は、認証が行われた撮像装置１からの画像データの受信を行い、ホルダ名・ファイル名決定部３９へ出力する。
これにより、ホルダ名・ファイル名決定部３９は、認証情報に対応した記憶領域を検索し（ステップＳ２３）、この画像データに添付された位置情報に基づいて、この画像データをファイルとして格納するホルダ名を決定する（ステップＳ２４）。
そして、ホルダ名・ファイル名決定部３９は、画像データに添付された時刻情報に基づいて画像データのファイル名を決定する（ステップＳ２５）。
【００５５】
ここで、ホルダと、ファイル名との関係は、ホルダ名・ファイル名決定部３９により、図７に示す階層構造により、ユーザ領域部３２に格納される。
この図７において、あらかじめ生成されている認証情報に基づくホルダ（例えば、ユーザＩＤがホルダ名となっている）の下に、位置情報から求められる住所「○○市△△」のホルダが生成され、このホルダ内に、この○○市△△の住所の範囲で撮像された画像データのファイルが格納される。
【００５６】
また、ホルダ名・ファイル名決定部３９は、位置情報の住所が有名な場所の敷地に含まれていれば、すなわち、その有名な場所の敷地、例えば「□□××××ランド」の敷地内にあれば、ホルダの名称を住所でなく、その場所の名称として生成する。
画像データのファイルは、データ形式がＪＰＥＧであるとして、例えば、時刻情報において、画像を撮像した時間が２００２年１月２２日１１時３４分２５秒であれば、「２００２０１２２１１３４２５．ｊｐｇ」のファイル名となる。
【００５７】
次に、ホルダ名・ファイル名決定部３９は、認証情報に基づくホルダは、認証情報の登録時に生成されているため、位置情報に基づくホルダが生成されているか否かを、ユーザ領域部３２を検索して、位置情報に対応する住所のホルダの有無を確認することにより判定する。
ここで、ホルダ名・ファイル名決定部３９は、ユーザ領域部３２において、位置情報に対応する住所のホルダが抽出されれば、ホルダがすでに生成済みとして処理をステップＳ２８へ進め、一方、位置情報に対応する住所のホルダが抽出されなければ、ホルダがまだ生成されていないとして、処理をステップＳ２７へ進める（ステップＳ２６）。
【００５８】
次に、ホルダ名・ファイル名決定部３９は、位置情報に対応する住所のホルダが抽出されなければ、この位置情報に対応するホルダの生成を行う（ステップＳ２７）。
そして、ホルダ名・ファイル名決定部３９は、時刻情報に基づいて、ステップＳ２５において作成した画像データのファイルを、この画像データの撮像された位置情報に対応したホルダに格納する（ステップＳ２８）。
次に、ホルダ名・ファイル名決定部３９は、撮像装置からの撮像処理の終了を示す終了通知が入力されたか否かの判定を行い、入力されていなければ処理をステップＳ２３へ戻し、一方、入力されていれば処理を終了する（ステップＳ２９）。
また、認証部３６は、一定時間を越えて画像データが入力されないとき、対応する撮像装置１の認証情報の認証履歴を削除し、次回画像データが送信されてきた場合、再度の認証処理を行うようにする。
【００５９】
次に、図１，図２，図３及び図８を参照して、ユーザの操作する撮像装置１と、画像記録サーバ３とのデータの送受信の動作例を説明する。図８は、ユーザの操作する撮像装置１と、画像記録サーバ３とのデータの送受信の動作例を示すフローチャートである。
ユーザは、撮像装置１により、画像データの加工及び編集の処理を依頼するため、撮像装置１に登録された自宅の住所（位置情報）またはＧＰＳ１４による現在地の位置情報のいずれかと、自身の認証情報とを、店舗の問い合わせ情報とともに、画像記録サーバ３に送信する（ステップＳ３１）。
【００６０】
これにより、認証部３６の認証情報の認証処理の後、店舗検索部３７は、入力された位置情報の場所に最も近傍にある、出力画像加工サーバ８の設置された店舗を、店舗情報データベース３４において検索し、抽出して（ステップＳ３２，ステップＳ３３）、検索された店舗の店舗情報（住所，電話番号等）を問い合わせたユーザの撮像装置１へ送信する（ステップＳ３４）。
そして、ユーザは、撮像装置１により、上記店舗情報を受信／入力し（ステップＳ３５）、店舗の場所が気に入らなければ、処理をステップＳ３１に戻して、再度、店舗の問い合わせを行い、店舗の場所が気に入れば処理をステップＳ３７へ進める（ステップＳ３６）。
【００６１】
次に、ユーザは、撮像装置１により、加工及び編集処理を要求する画像データのファイル名、またはホルダ名を指定し、対応する店舗の出力画像加工サーバ８への画像データのファイルの送信指示（データ送信指示）を、記録画像サーバ３へ出力する（ステップＳ３７）。
そして、ホルダ名・ファイル名決定部３９は、通信インターフェース３１を介して、上記データ送信指示が入力されると、指定された、ファイル名の画像データ、またはホルダ名のホルダに含まれる画像データを、出力画像加工サーバ８へ送信する（ステップＳ３８）。
ここで、加工及び編集処理を要求する画像データを、一旦、全て出力画像加工サーバ４へ転送させて、後で店舗に赴いてから、対象となる画像を選択しても良い。
【００６２】
ここで、ホルダ名・ファイル名決定部３９は、指定された画像データのファイルが全て送信されたか否かの判定を行い、全て送信されていなければ、処理をステップＳ３８へ戻し、送信処理を継続させ、一方、全て送信されていれば、処理をステップＳ４０へ進める（ステップＳ３９）。
そして、ホルダ名・ファイル名決定部３９は、画像データの転送が全て終了した場合、送信が終了したことをユーザの撮像装置１へ通知する（ステップＳ４０）。
【００６３】
これにより、ユーザは、撮像装置１が画像データの送信が終了したことを示す通知を、画像記録サーバ３から受信すると、加工及び編集処理を依頼するため、認証情報を送信することにより、検索された店舗の出力画像加工サーバ８へのアクセスを行う（ステップＳ４１）。
【００６４】
次に、図１，図２，図４及び図９を参照して、ユーザの操作する撮像装置１と、出力画像加工サーバ８とのデータの送受信の動作例を説明する。
図９は、図８のフローチャートにより、事前に、画像記録サーバ３から出力画像加工サーバ８へ、画像データが送信された場合の、ユーザの操作する撮像装置１と、出力画像加工サーバ８とのデータの送受信の動作例を示すフローチャートである。
【００６５】
通信インターフェース４１は、画像記録サーバ３から画像データを入力し（ステップＳ５１）、この画像データをデータ一時保存部４２へ一時的に保存する（ステップＳ５２）。
次に、撮像装置接続部４４は、通信インターフェース４１を介して、画像記録サーバ３に対して、処理を要求しているユーザの認証処理が終了しているか否かの問い合わせを行う。
このとき、画像記録サーバ３は、出力画像加工サーバ８から入力される上記問い合わせに基づき、現時点で問い合わせのあったユーザの認証処理がすでに行われているか否かの回答通知を、出力画像加工サーバ８へ送信する。
これにより、撮像装置接続部４４は、この回答通知に基づき、認証が行われているか否かの判定を行い、認証が行われていれば処理をステップＳ５３へ進め、認証が行われていなければ処理をステップＳ５４へ進める（ステップＳ５３）。
【００６６】
次に、撮像装置接続部４４は、ユーザの認証処理が終了していない場合、画像記録サーバ３に対して、ユーザの認証情報を添付した、認証処理を要求する依頼通知を出力する。
そして、画像記録サーバ３において、認証部３６は、記憶領域を使用するユーザの認証情報が、認証情報保持部３３に記憶されているいずれかの登録認証情報と一致するか否かの判定を行い、ユーザの認証処理を行い、この認証結果を認証通知として撮像装置１へ送信する（ステップＳ５４）。
【００６７】
次に、ユーザは、撮像装置１により、出力画像加工サーバ８に対して、加工及び編集を行う画像データの選択を行い、記録する記録媒体６の枚数を指定する。（ステップＳ５５）。
そして、ユーザは、撮像装置１により、加工及び編集の操作内容を、撮像装置１の表示画面に表示された選択画面から選択し、出力画像加工サーバ８に対して、加工及び編集情報として送信する。
これにより、データ加工部４３は、データ一時保存部４２に記憶されている画像データに対して、上記選択された加工及び編集の処理を行う（ステップＳ５６）。
【００６８】
次に、撮像データ記録装置５は、データ一時保存部４２に記憶されている、加工及び編集の終了した変換画像データを、記録媒体６に書き込む（ステップＳ５７）。
そして、撮像データ記録装置５は、変換画像データが、設定された枚数の記録媒体６に書き込まれたか否かの判定を行い、書込が終了していなければ、処理をステップＳ５７へ戻して書込処理を継続させ、書込が終了していれば、書込処理を終了させる（ステップＳ５８）。
【００６９】
上述した構成により、本願発明の画像記録サーバ３は、入力された画像データを、ユーザの認証情報（ホルダ）／撮像した位置情報（ホルダ）／撮像した画像データ（時刻情報を名称としたファイル）の階層構造に分類して、画像データをユーザ領域部３２に記憶していくため、ユーザ自身が、撮像した画像データを整理する必要がなく、ユーザの負担を軽くすることが可能となる。
【００７０】
次に、図１，図２，図３，図４及び図１０を参照して、ユーザの操作する撮像装置１と、出力画像加工サーバ８とのデータの送受信の動作例を説明する。
図１０は、直接ユーザが、店舗情報データベース３４から抽出された店舗に行き、加工及び編集の処理を依頼する場合の、出力画像加工サーバ８の動作例を示すフローチャートである。
撮像装置接続部４４は、入力されるユーザの認証情報を添付して、認証処理の依頼通知を出力する。
【００７１】
画像記録サーバ３において、認証部３６は、記憶領域を使用するユーザの認証情報が、認証情報保持部３３に記憶されているいずれかの登録認証情報と一致するか否かの判定を行い、ユーザの認証処理を行い、この認証結果を認証通知として出力画像加工サーバ８へ送信する。
そして、撮像装置接続部４４は、入力される認証通知により、認証を行う（ステップＳ６１）
【００７２】
認証された後、撮像装置接続部４４は、通信インターフェース４１を介して、ユーザの撮像した画像データの送信を要求するため、この画像データの送信を指示する要求信号を画像記録サーバ３へ送信する。
これにより、通信インターフェース４１は、ユーザ領域部３２から読み出された画像ファイルを、受信入力し（ステップＳ６２）、この画像データを一時記憶部４２へ一時的に保存する（ステップＳ６３）。
そして、ユーザは、撮像装置１により、出力画像加工サーバ８に対して、加工及び編集を行う画像データの選択を行い、記録する記録媒体６の枚数を指定する。（ステップＳ６４）。
【００７３】
データ加工部４３は、データ一時保存部４２に記憶されている画像データに対して、上記選択された加工及び編集の処理を行う（ステップＳ６５）。
次に、撮像データ記録装置５は、データ一時保存部４２に記憶されている、加工及び編集の終了した変換画像データを、記録媒体６に書き込む（ステップＳ６６）。
そして、撮像データ記録装置５は、変換画像データが、設定された枚数の記録媒体６に書き込まれたか否かの判定を行い、書込が終了していなければ、処理をステップＳ６６へ戻して書込処理を継続させ、書込が終了していれば、書込処理を終了させる（ステップＳ６７）。
【００７４】
上述したように、本発明の出力画像加工サーバ８は、ユーザの指示に対応して、画像データを加工及び編集を行い、加工後の加工画像データを記録媒体へ書込処理するため、ユーザが加工及び編集用のソフトウェアを持つ必要が無く、かつパーソナルコンピュータを持たないユーザも加工及び編集が行え、デジタルカメラで撮像したデジタルの画像データを有効に利用することが可能となる。
【００７５】
次に、本発明の実施の形態によるコンピュータが実行するためのプログラムについて説明する。
図２，３，４各々における撮像装置１，画像記録サーバ３，出力画像加工サーバ８におけるコンピュータシステムのＣＰＵが実行するためのプログラムは、本発明によるプログラムを構成する。
このプログラムを格納するための記録媒体としては、光磁気ディスク、光ディスク、半導体メモリ、磁気記録媒体等を用いることができ、これらをＲＯＭ、ＲＡＭ、ＣＤ−ＲＯＭ、フレキシブルディスク、メモリカード等に構成して用いてよい。
【００７６】
また上記記録媒体は、インターネット等のネットワークや電話回線等の通信回線を介してプログラムが送信された場合のサーバやクライアントとなるコンピュータシステム内部のＲＡＭ等の揮発性メモリのように、一定時間プログラムを保持するものも含まれる。
また上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電話回線等の通信回線（通信線）のように情報を伝送する機能を有する媒体をいうものとする。
【００７７】
また、上記プログラムは、前述した機能の一部を実現するためであってもよい。さらに、前述した機能をコンピュータシステムに既に記録されているプログラムとの組み合わせで実現できるもの、いわゆる差分ファイル（差分プログラム）であってもよい。
【００７８】
従って、このプログラムを図２，３，４のシステム又は装置とは異なるシステム又は装置において用い、そのシステム又は装置のコンピュータがこのプログラムを実行することによっても、上記実施の形態で説明した機能及び効果と同等の機能及び効果を得ることができ、本発明の目的を達成することができる。
【００７９】
以上、本発明の一実施形態を図面を参照して詳述してきたが、具体的な構成はこの実施形態に限られるものではなく、本発明の要旨を逸脱しない範囲の設計変更等があっても本発明に含まれる。
【図面の簡単な説明】
【図１】本発明のデジタルカメラ，画像記録サーバ，出力画像加工サーバを使用した画像データ処理システムの一実施形態である。
【図２】図１の撮像装置１の構成を示すブロック図である。
【図３】図１の画像記録サーバ３の構成を示すブロック図である。
【図４】図１の出力画像加工サーバ８の構成を示すブロック図である。
【図５】図１の撮像装置１の動作例を示すフローチャートである。
【図６】図１の画像記録サーバ３の動作例を示すフローチャートである。
【図７】図３におけるユーザ領域部３２の記憶領域の構成を示す概念図である。
【図８】撮像装置１と画像記録サーバ３とにおける、データの送受信の動作例を示すフローチャートである。
【図９】出力画像加工サーバ８の動作例を示すフローチャートである。
【図１０】出力画像加工サーバ８の動作例を示すフローチャートである。
【符号の説明】
１…撮像装置，２…ネットワーク，３…画像記録サーバ，４…出力加工サーバ，５…撮像データ記録装置，６…記録媒体，７…発送センタ，８…出力画像加工サーバ，１１…撮像装置，１２…バッファ領域部，１３…認証情報保持部，１４…ＧＰＳ，１５…通信インターフェース，１８…表示部，３１…通信インターフェース，３２…ユーザ領域部，３３…認証情報保持部，３４…店舗情報データベース，４１…通信インターフェース，４２…データ一時保存部，４３…データ加工部
【図１】
2004289477.tif 000003
【図２】
2004289477.tif 000004
【図３】
2004289477.tif 000005
【図４】
2004289477.tif 000006
【図５】
2004289477.tif 000007
【図６】
2004289477.tif 000008
【図７】
2004289477.tif 000009
【図８】
2004289477.tif 000010
【図９】
2004289477.tif 000011
【図１０】
2004289477.tif 000012